(57)【特許請求の範囲】
【請求項１】
人体に接触する少なくとも２つの電極と、データの送信又は受信の少なくともいずれか一方の機能を有するデータ通信部とを備え、前記人体が前記電極に接触または近接することにより、前記人体を介して通信相手との間でデータの送信又は受信を行うデータ通信装置であって、
前記電極のうち少なくともひとつの表面は、周辺部よりも低くなるように形成されているデータ通信装置。
【請求項２】
請求項１記載のデータ通信装置であって、
前記電極のうち少なくともひとつは、前記データ通信装置の筐体側部に形成された凹部表面に配設されているデータ通信装置。
【請求項３】
請求項１または２に記載のデータ通信装置であって、
前記電極のうち少なくともひとつは、表面が波形状の凹凸をもつように形成されているデータ通信装置。
【請求項４】
請求項１乃至３のいずれかに記載のデータ通信装置であって、
前記電極のうち少なくともひとつが、複数に分割されているデータ通信装置。
【請求項５】
請求項１乃至４のいずれかに記載のデータ通信装置であって、
前記電極のうち少なくともひとつは、前記データ通信装置の筺体の角に形成されているデータ通信装置。
【請求項６】
請求項５に記載のデータ通信装置であって、
前記電極は、丸くされた前記筐体側部に形成されているデータ通信装置。
【請求項７】
請求項１乃至６のいずれかに記載のデータ通信装置であって、
前記データ通信装置は、携帯電話端末であるデータ通信装置。
【発明の詳細な説明】
【技術分野】
【０００１】
本発明は、人体を介して接触する通信相手との間で、データの送信又は受信を行うデータ通信装置に関する。
【背景技術】
【０００２】
近年、利用者が携帯するデータ通信装置と相手側のデータ通信装置との間で、人体を介してデータ通信を行う人体通信が提案されている。このような人体通信を用いるデータ通信装置は、導体である人体をアンテナとして用いるもので、一般に、外面に露出して人体の一部に接触可能な複数の電極と、データの送信又は受信を行うデータ通信部を備えている。
【０００３】
人体通信によるデータ通信装置は、電極が人体と十分に接触することが必要である。そのため、利用者がデータ通信装置を保持、又は装着した際、人体と電極が自然、かつ確実に接触することができるように腕時計の裏側や指輪の内面に電極を設置した構造が従来から提案されている。
【０００４】
例えば、腕時計型パッケージにデータ通信部を内蔵し、バンド部の幅方向に沿って電極を対向して配置することにより、利用者が電極配置を意識することなく、データ通信装置を利用できるようにした例がある（例えば、特許文献１参照）。
【０００５】
また、バンド部内面の全周に亘って電極を設けるとともに、電極表面の長手方向に点在する複数の突起を形成することにより、人体と電極との接触を容易にし、接圧を向上させた例がある（例えば、特許文献２参照）。
【０００６】
しかしながら、携帯電話やＰＤＡなどの携帯情報端末を用いて人体通信を行う場合は、利用者が電極の位置を意識して携帯情報端末を把持しないと、確実に信号が人体に伝わらず、通信が不安定になったり、ひいては通信不能になるという問題があった。
【０００７】
また、突起の場合、ややもすると突出部のみで接触し、電極と人体との接触面積を十分に大きくとることができない。
【特許文献１】特開２００３−１３４００９号公報
【特許文献２】特開２００４−６４４３５号公報
【発明の開示】
【発明が解決しようとする課題】
【０００８】
本発明は、前記実情に鑑みてなされたものであって、利用者がデータ通信装置を把持して人体通信を行う際に、意識することなく電極を人体に確実に接触させることができ、安定してデータ通信を行うことが可能なデータ通信装置を提供することを目的とする。
【課題を解決するための手段】
【０００９】
本発明のデータ通信装置は、人体に接触する少なくとも２つの電極と、データの送信又は受信の少なくともいずれか一方の機能を有するデータ通信部を備え、前記人体が前記電極に接触することにより、前記人体を介して通信相手との間でデータの送信又は受信を行うデータ通信装置であって、前記電極の表面は、周辺部よりも低くなるように形成されていることを特徴とする。
【００１０】
この構成により、利用者がデータ通信装置を把持して人体通信を行う際に、周辺部よりも低くなっている部分を自然に把持するため、この低い部分の電極に人体の一部である指が意識することなく容易かつ、確実に接触し、安定してデータ通信を行うことができる。
【００１１】
また本発明のデータ通信装置は、前記電極が前記データ通信装置の筐体側部に形成された凹部表面に配設されているものを含む。
【００１２】
この構成により、利用者がデータ通信装置を把持して人体通信を行う際に、筐体側部に形成した凹部を自然に把持するので、凹部に配設した電極に人体の一部である指が意識することなく容易、確実に接触するとともに、接触面積も大きくなり、安定してデータ通信を行うことができる。
【００１３】
また、本発明のデータ通信装置は、前記電極が波形状の凹凸をもつように形成されたものを含む。
【００１４】
この構成により、データ通信装置を把持した際、利用者の指が波形状の凹凸をもつように形成された電極に自然にフィットして接触するので、安定してデータ通信を行うことができる。この波形状の凹凸は指のピッチにあうように形成することにより、より接触面積を大きくすることができる。
【００１５】
さらに、本発明のデータ通信装置は、前記電極のうち少なくともひとつが、複数に分割されているものを含む。
【００１６】
この構成により、データ通信装置を把持した利用者の指が少なくともいずれかの電極個片に接触するので、安定してデータ通信を行うことができる。
【００１７】
さらに、本発明のデータ通信装置は、前記電極が、前記データ通信装置の筺体の角に設置されているものを含む。
【００１８】
通常データ通信装置を扱う際、利用者は前記データ通信装置の筐体の角を支持するように把持するので、この構成により、利用者の指が角に設置された前記電極に接触することができ、安定してデータ通信を行うことができる。
【００１９】
さらに、本発明のデータ通信装置は、前記データ通信装置の筐体側部の角を丸くし、前記電極は、前記丸くした筐体側部に沿って設置されているものを含む。
【００２０】
この構成により、データ通信装置を扱う際、利用者はちょうど丸くした筐体側部を取り巻くように把持するので、利用者の指がデータ通信装置の筺体側部に設置された電極に接触することができ、安定してデータ通信を行うことができる。
【００２１】
望ましくは、前記電極が、前記データ通信装置の筐体の角の少なくとも一部を覆うように設置する。
【００２２】
この構成により、利用者の指が角に設置された前記電極に接触することができ、より安定してデータ通信を行うことができる。
【００２３】
さらに、本発明のデータ通信装置は、携帯電話端末を含む。
【発明の効果】
【００２４】
本発明によれば、利用者がデータ通信装置を把持して人体通信を行う際に、意識することなく電極を人体に意識することなく確実に接触させることができ、安定したデータ通信を行うことが可能なデータ通信装置を提供することができる。
【発明を実施するための最良の形態】
【００２５】
本発明の実施の形態では、電極表面が筐体の他の部分よりも低くなるように形成されたことを特徴とするもので、意識しなくても把持しやすい状況を作るように構成されている。この例では、人体を接触させた２人の利用者がそれぞれ把持し、相互にデータの授受を行うデータ通信装置として携帯電話端末を例示して説明する。図１は、本発明の実施の形態に係るデータ通信装置を用いて人体通信を行うデータ通信システムの概略構成を示す図である。
【００２６】
図１において、データ通信システムは、利用者Ａが把持するデータ通信装置１０と、利用者Ｂが把持するデータ通信装置１０を備える構成である。利用者Ａ、Ｂがそれぞれデータ通信装置１０を把持している方の手を伸ばして接触させることにより、利用者Ａ、Ｂの人体と、人体間の容量結合により閉回路が形成され、利用者Ａが把持するデータ通信装置１０と利用者Ｂが把持するデータ通信装置１０との間で双方向にデータ通信が行うことができる。
【００２７】
このようなデータ通信システムにおいて、安定して人体通信を行うためには、利用者Ａ、Ｂ双方がデータ通信装置１０を把持する際に、人体がデータ通信装置１０の電極に確実に接触している必要がある。以下、人体と電極の接触を確実に行うためになされた本発明の実施の形態に係るデータ通信装置について、図面を用いて説明する。
【００２８】
（実施の形態１）
図２は、本発明の実施の形態１に係るデータ通信装置の概略構成を示し、（ａ）は正面図、（ｂ）は側面図である。本実施の形態では、電極が前記データ通信装置の筐体側部に形成された凹部表面に配設されており、表面が、周辺部よりも低くなるように形成されたことを特徴とするものである。この図に示すように、データ通信装置１０は、筐体１０１の両側部に配設された送受信電極１０３及び基準電極１０４と、筐体１０１の内部に収容され、データの送受信機能を有するデータ通信部１０５と、送受信電極１０３及び基準電極１０４とデータ通信部１０５とを電気的に接続するリード線１０６を有する構成である。
【００２９】
送受信電極１０３と基準電極１０４は、導電性材料で構成されており、利用者がデータ通信装置１０を片手で握る際に指が自然に接する位置に形成した凹部１０２の、筐体１０１の側部表面より僅かに低い位置に設けられている。これにより、データ通信装置１０を把持した際に、利用者の指が送受信電極１０３及び基準電極１０４に確実に触れ、人体との接触が保たれて安定した人体通信を行うことができる。
【００３０】
データ通信部１０５は、例えば、交流信号を生成する発振部と、交流信号により送受信するデータの振幅変復調を行う変復調部と、変調信号を送受信電極１０３と基準電極１０４との間に印加してデータを送信する電圧印加部と、送受信電極１０３と基準電極１０４との間の電圧を検出してデータを受信する電圧検出部と、送信モードと受信モードの切り替え操作を行う送受信切り替え部等を備えている。
【００３１】
図３は、本実施の形態に係るデータ通信装置を折り畳み式携帯電話に適用した構成例を示すものであり、筐体１１１の側部に指の断面形状に合わせて形成した波形状の送受信電極１１３と基準電極１１４を備える構成である。これによると、利用者がデータ通信装置１１を片手で握る際の指が、送受信電極１１３と基準電極１１４の溝部に自然に収まり、人体との接触が一層確実に保たれる。
【００３２】
なお、前記筐体１０１、１１１は、通常の携帯型電子機器と同様に樹脂等の絶縁物で形成されている。このため、図２に示したデータ通信装置１０の送受信電極１０３と基準電極１０４は、例えば図４に示すように、表面を樹脂コーティング（絶縁物）１０７で覆われていてもよい。このように、電極表面が絶縁物で覆われている場合、両電極１０３、１０４と人体との密着性が十分でないと人体通信が不安定状態に陥るおそれがあるが、本発明の構成によれば、筐体１０１側部に形成された凹部表面に両電極が形成されているため人体と電極との密着性が向上する。このように、データ通信装置１０の構成として、上記した図３に示すように、筐体１１１の側部に指の断面形状に合わせて溝部を形成した、波形状の送受信電極１１３と基準電極１１４を用いることにより、利用者が意識することなく電極と高い密着性を得ることができ、極めて効果的である。
【００３３】
このように、本発明の実施の形態１に係るデータ通信装置によれば、人体に接触してデータを伝送する送受信電極１０３と基準電極１０４を、データ通信装置１０の筐体１０１側部に形成された凹部表面に配設することにより、利用者がデータ通信装置１０を把持する際に、指が自然に両電極１０３、１０４と密に接触するので、人体通信によるデータ通信を安定して行うことができる。
【００３４】
また、電極を波形状に形成することにより、利用者の指が電極に自然にフィットするので、データ通信装置の人体との接触を一層確実に保つことができる。さらに、筐体表面における電極の占有面積が小さくなり、データ通信装置を小型化することができる。
【００３５】
さらにまた、本実施の形態１の変形例について説明する。
【００３６】
図５は、図３に示した構成例と同様、本実施の形態に係るデータ通信装置を折り畳み式携帯電話に適用した構成例を示すものであり、筐体１１１の側部に指の断面形状に合わせて形成した波形状の送受信電極１１３と基準電極１１４を備える構成である。この構成により、利用者がデータ通信装置１１を片手で握る際の指が、送受信電極１１３と基準電極１１４の溝部に自然に収まり、人体との接触を一層確実に保つことができる。
【００３７】
このようなデータ通信装置によれば、人体に接触してデータを伝送する送受信電極１１３と基準電極１１４を、データ通信装置１０の筐体１１１側部に形成された凹部表面に配設することにより、利用者がデータ通信装置１０を把持する際に、指が自然に両電極１０３、１０４と密に接触するので、人体通信によるデータ通信を安定して行うことができる。
【００３８】
また、電極を波形状に形成することにより、利用者の指が電極に自然にフィットするので、データ通信装置の人体との接触を一層確実に保つことができる。さらに、筐体表面における電極の占有面積が小さくなり、データ通信装置を小型化することができる。
【００３９】
（実施の形態２）
図６は、本発明の実施の形態２に係るデータ通信装置の概略構成を示す正面図である。本実施の形態では、送受信電極２０３及び基準電極２０４を複数に分割したことを特徴とするものである。なお、実施の形態１における図２と対応する構成要素については、同一の符号を付してある。
【００４０】
図６において、データ通信装置２０は、筐体２０１両側部の利用者が片手で握る際に指が自然に接する位置に、それぞれ複数に分割された送受信電極２０３及び基準電極２０４を備える構成である。送受信電極２０３及び基準電極２０４の各個片は、それぞれに共通接続され、筐体２０１の内部に収容されたデータ通信部１０５とリード線１０６を用いて電気的に接続される。なおここで、送受信電極２０３と基準電極２０４は、筐体２０１側部に形成された凹部表面に配設されている。
【００４１】
利用者がデータ通信装置２０を片手で握る際、送受信電極２０３及び基準電極２０４それぞれに、分割された電極個片のいずれかに利用者の指が触れるので、データ通信装置２０の人体との接触が指を介して確実に保たれ、安定して通信を行うことができる。
【００４２】
さらに、本実施の形態では、人体に接触してデータを伝送する送受信電極２０３と基準電極２０４を、データ通信装置２０の筐体２０１側部に形成された凹部表面に配設することにより、利用者がデータ通信装置２０を把持する際に、指が自然に両電極２０３、２０４と密に接触し、人体通信によるデータ通信を安定して行うことができる。
【００４３】
図７は、図６に示したデータ通信装置の変形例のデータ通信装置の概略構成を示す正面図である。なお、実施の形態１における図６と対応する構成要素については、同一の符号を付してある。
【００４４】
図７において、データ通信装置２０は、筐体２０１両側部の利用者が片手で握る際に指が自然に接する位置に、それぞれ複数に分割された送受信電極２０３及び基準電極２０４を備える構成である。前記実施の形態１と異なるのは送受信電極２０３及び基準電極２０４の各個片が、筐体表面と同一面に形成されている点であり、他は前記実施の形態１のデータ通信装置と同様に形成されている。すなわち、送受信電極２０３及び基準電極２０４の各個片は、それぞれに共通接続され、筐体２０１の内部に収容されたデータ通信部１０５とリード線１０６を用いて電気的に接続される。
【００４５】
本実施の形態においても、利用者がデータ通信装置２０を片手で握る際、送受信電極２０３及び基準電極２０４それぞれに、分割された電極個片のいずれかに利用者の指が触れるので、データ通信装置２０の人体との接触が指を介して確実に保たれ、安定して通信を行うことができる。
【００４６】
図８は、本実施の形態のデータ通信装置を適用した携帯電話の概略構成を示す正面図である。同図において、携帯電話３０は、筐体３０１の両側下部で利用者が片手で握る際に指が自然に接する位置に送受信電極３０３を２分割して配設するとともに、利用者が触れることがない、例えば、筐体３０１の背面上部に基準電極３０４を配設した構成である。なおここでも、送受信電極３０３は、筐体３０１側部に形成された凹部表面に配設されている。
【００４７】
この構成により、データ通信に際して利用者が携帯電話３０を片手で握ると、送受信電極３０３の２分割したいずれかの個片に接触するので、安定してデータ通信を行うことができる。
【００４８】
なお、携帯電話３０における電極配置は上記に限定されるものではなく、図５に示したデータ通信装置２０のように、利用者が携帯電話３０を片手で握る位置に送受信電極３０３および基準電極３０４を配設することができる。また、図８に示した送受信電極３０３と基準電極３０４の位置を逆にして、送受信電極３０３を筐体３０１の背面に、基準電極３０４を筐体３０１の両側部に２分割して配設してもよい。
【００４９】
図９は、本実施の形態の変形例を示すデータ通信装置を適用した携帯電話の概略構成を示す正面図である。図８に示した例と異なるのは送受信電極２０３及び基準電極２０４の各個片が、筐体表面と同一面に形成されている点であり、他は同様に形成されている。同図において、携帯電話３０は、筐体３０１の両側下部で利用者が片手で握る際に指が自然に接する位置に送受信電極３０３を２分割して配設するとともに、利用者が触れることがない、例えば、筐体３０１の背面上部に基準電極３０４を配設した構成である。
【００５０】
この構成により、データ通信に際して利用者が携帯電話３０を片手で握ると、送受信電極３０３の２分割したいずれかの個片に接触するので、安定してデータ通信を行うことができる。
【００５１】
さらに、図１０に本実施の形態のデータ通信装置を適用した携帯電話の概略構成を示す。（ａ）は正面図、（ｂ）は側面図、（ｃ）は背面図である。図１０に示すように、筐体３０１の両側部で利用者が片手で握る際に指が自然に接する位置に送受信電極３０３を２分割して配設するとともに、基準電極３０４を筐体３０１の背面下部に配設するようにしてもよい。基準電極は、前述したように、利用者が触れることがない、例えば、筐体３０１の背面上部に基準電極３０５を配設した構成でもよい。なおここでも、送受信電極３０３と基準電極３０４は、筐体３０１側部に形成された凹部表面に配設されている。
【００５２】
このように電極を３箇所に配設することで、利用者が片手で携帯電話３０を握った際に、全ての電極を人体にほぼ確実に接触させることができる。
【００５３】
また、折り畳み式携帯電話におけるヒンジ部に電極３０６を設けたり、操作キーの少なくともひとつが電極として用いられるようにすれば、外観上違和感のない構成にすることが可能である。筺体が閉じられた状態でも利用する場合、分割した電極の一部を筺体上部に設置することで使用可能である。
【００５４】
さらに、図１１に本実施の形態のデータ通信装置を適用した携帯電話の概略構成を示す。（ａ）は正面図、（ｂ）は側面図、（ｃ）は背面図である。図１０に示した例と異なるのは送受信電極３０３及び基準電極３０４の各個片が、筐体表面と同一面に形成されている点であり、他は同様に形成されている。図１１に示すように、筐体３０１の両側部で利用者が片手で握る際に指が自然に接する位置に送受信電極３０３を２分割して配設するとともに、基準電極３０４を筐体３０１の背面下部に配設するようにしてもよい。基準電極は、前述したように、利用者が触れることがない、例えば、筐体３０１の背面上部に基準電極３０５を配設した構成でもよい。このように電極を３箇所に配設することで、利用者が片手で携帯電話３０を握った際に、全ての電極を人体にほぼ確実に接触させることができる。
【００５５】
また、折り畳み式携帯電話におけるヒンジ部に電極３０６を設けたり、操作キーの少なくともひとつが電極として用いられるようにすれば、外観上違和感のない構成にすることが可能である。筺体が閉じられた状態でも利用する場合、分割した電極の一部を筺体上部に設置することで使用可能となる。
【００５６】
次に、本実施の形態の携帯電話３０を用いた人体通信の例について説明する。図１２は、利用者Ａ、Ｂがそれぞれ把持する携帯電話３０相互間でデータ通信を行うデータ通信システムの概略構成を示す図である。
【００５７】
図１２において、利用者Ａ、Ｂはそれぞれ携帯電話３０を一方の手で握り、筐体３０１の両側下部に分割して配設された送受信電極３０３に触れている。この状態で、利用者Ａ、Ｂが携帯電話３０を持っていない他方の手同士を差し出して接触させると、接触した部分を介する利用者Ａ、Ｂの人体がデータ通信の伝送線３０７となり、手が触れていない基準電極３０４同士が空間における静電結合により基準線３０８を形成する。このようにして２つの携帯電話３０の間で人体による閉回路が形成され、双方向にデータ通信が可能となる。
【００５８】
このような本発明の実施の形態２に係るデータ通信装置２０によれば、人体に接触してデータを伝送する送受信電極２０３と基準電極２０４をそれぞれ複数の個片に分割して筐体２０１の側部に配設する。これにより、利用者がデータ通信装置を把持する際に、指が送受信電極２０３及び基準電極２０４それぞれに、分割された電極個片のいずれかと接触するので、人体との接触が確実に保たれ、データ通信を安定して行うことができる。
【００５９】
また、本実施の形態のデータ通信装置を適用する携帯電話３０において、筐体３０１の両側下部に送受信電極３０３を２分割して配設するとともに、筐体３０１の背面上部に基準電極３０４を配設する。このように構成した携帯電話３０を図１に示したデータ通信装置１０と同様に、二人の利用者がそれぞれ一方の手で把持するとともに、他方の手をつなぐことにより、携帯電話３０相互間で人体通信によるデータ通信を安定して行うことができる。
（実施の形態３）
図１３は、本発明の実施の形態３に係るデータ通信装置を適用した携帯電話の概略構成を示す図である。（ａ）は正面図、（ｂ）は側面図、（ｃ）は背面図である。本実施の形態では、電極が、データ通信装置の筺体の角に設置されており、利用者の指が角に設置された電極に良好に接触することができ、安定してデータ通信を行うことができるようにしたものを含む。なお、基本的な構成要素は、第１および実施の形態２と同様であるため、ここでは図示しない。
【００６０】
図１３において、データ通信装置４０は、利用者が片手でデータ通信装置４０を操作する際に筺体４０１を支えるため、指が自然に接する筐体４０１両側部の角４０２に、送受信電極４０３及び基準電極４０４を備えた構成である。なおここでも、送受信電極４０３と基準電極４０４は、筐体４０１側部に形成された凹部表面に配設されている。
【００６１】
利用者がデータ通信装置４０を片手で握る際、送受信電極４０３及び基準電極４０４それぞれに、利用者の指が触れるので、データ通信装置４０の人体との接触が指を介して確実に保たれ、安定して通信を行うことができる。
【００６２】
または、図１４、図１５に示すように、データ通信装置４０の筺体側面の角を、一部、あるいは全部をわずかに斜めにけずり、凹部４０２としその面に送受信電極４０３及び基準電極４０４を設置する構造としてもよい。
【００６３】
または、図１６に示すように、データ通信装置４０の筺体側面の角に丸みをつけるとともに凹部４０２を形成し、その面に送受信電極４０３及び基準電極４０４を設置する構造としてもよい。角の曲率は、利用者がデータ通信装置４０を支持する際に、ちょうどデータ通信装置４０と指のすきまが少なくなるように設計するとよい。
【００６４】
このような構造とすることにより、利用者がデータ通信装置４０を片手で握る際、送受信電極４０３及び基準電極４０４それぞれに、利用者の指が触れるので、データ通信装置４０の人体との接触が指を介して確実に保たれ、安定して通信を行うことができる。
【００６５】
また、図１６に示したデータ通信装置の変形例を、図１７に示す。図１６に示した例と異なるのは送受信電極４０３及び基準電極４０４の各個片が、筐体表面と同一面に形成されている点であり、他は同様に形成されている。すなわち、データ通信装置４０の筺体側面の角に丸みをつけ、その面に送受信電極４０３及び基準電極４０４を設置する構造としてもよい。角の曲率は、利用者がデータ通信装置４０を支持する際に、ちょうどデータ通信装置４０と指のすきまが少なくなるように設計するとよい。
【００６６】
このような構造とすることにより、利用者がデータ通信装置４０を片手で握る際、送受信電極４０３及び基準電極４０４それぞれに、利用者の指が触れるので、データ通信装置４０の人体との接触が指を介して確実に保たれ、安定して通信を行うことができる。
【００６７】
図１８は、本発明の実施の形態３に係るデータ通信装置を折り畳み式携帯電話に適用した例の概略構成を示す図である。（ａ）は正面図、（ｂ）は側面図、（ｃ）は背面図である。
【００６８】
図１８において、データ通信装置５０は、利用者が片手でデータ通信装置５０を操作する際に筺体５０１を支えるため、指が自然に接する筐体５０１両側部の角５０２を角の曲率が、利用者がデータ通信装置５０を支持する際に、ちょうどデータ通信装置５０と指のすきまが少なくなるように、丸くし、丸く形成された送受信電極５０３及び基準電極５０４を備える構成である。
【００６９】
利用者がデータ通信装置５０を片手で握る際にも、送受信電極５０３及び基準電極５０４それぞれに、利用者の指が触れるので、データ通信装置５０の人体との接触が指を介して確実に保たれ、安定して通信を行うことができる。
【００７０】
このような構造とすることにより、利用者がデータ通信装置５０を片手で握る際、送受信電極５０３及び基準電極５０４それぞれに、利用者の指が触れるので、データ通信装置５０の人体との接触が指を介して確実に保たれ、安定して通信を行うことができる。
【００７１】
なお、本実施の形態では、データ通信装置を携帯電話に適用した例について説明したが、これに限ることはなく、ＰＤＡ等の携帯端末装置や携帯型音楽再生機等に適用することが可能である。
【産業上の利用可能性】
【００７２】
本発明は、利用者がデータ通信装置を把持して人体通信を行う際に、電極を人体に意識することなく確実に接触させることができ、安定してデータ通信を行うことが可能なデータ通信装置を提供できるという効果を有し、データ通信を行う携帯電話等の携帯端末装置に有用である。
【図面の簡単な説明】
【００７３】
【図１】本発明の実施の形態に係るデータ通信装置を用いるデータ通信システムの概略構成を示す図
【図２】実施の形態１におけるデータ通信装置の概略構成を示す正面図  （ａ）は正面図  （ｂ）は側面図
【図３】実施の形態１における他の携帯電話の概略構成を示す図  （ａ）は正面図  （ｂ）は側面図  （ｃ）は背面図
【図４】実施の形態１における別のデータ通信装置の概略構成を示す正面図
【図５】実施の形態１における別のデータ通信装置の概略構成を示す図  （ａ）は正面図  （ｂ）は側面図  （ｃ）は背面図
【図６】実施の形態２におけるデータ通信装置の概略構成を示す正面図
【図７】実施の形態２における別のデータ通信装置の概略構成を示す図
【図８】実施の形態２に係るデータ通信装置を適用した携帯電話の概略構成を示す正面図
【図９】実施の形態２における別のデータ通信装置の概略構成を示す図
【図１０】実施の形態２における他の携帯電話の概略構成を示す図  （ａ）は正面図  （ｂ）は側面図  （ｃ）は背面図
【図１１】実施の形態２における別のデータ通信装置の概略構成を示す図  （ａ）は正面図  （ｂ）は側面図  （ｃ）は背面図
【図１２】実施の形態２に係る携帯電話を用いたデータ通信システムの概略構成を示す図
【図１３】実施の形態３におけるデータ通信装置の概略電極配置を示す正面図
【図１４】実施の形態３におけるデータ通信装置の概略電極配置を示す正面図
【図１５】実施の形態３におけるデータ通信装置の概略電極配置を示す正面図
【図１６】実施の形態３におけるデータ通信装置の概略電極配置を示す正面図
【図１７】実施の形態３における別のデータ通信装置の概略電極配置を示す正面図
【図１８】実施の形態３における他の携帯電話の概略構成を示す図  （ａ）は正面図  （ｂ）は側面図  （ｃ）は背面図
【符号の説明】
【００７４】
１０、１１、２０、４０、５０  データ通信装置
１０１、１１１、２０１、３０１、４０１、５０１  筐体
１０３、１１３、２０３、３０３、４０３、５０３  送受信電極
１０４、１１４、２０４、３０４、４０４、５０４  基準電極
１０５  データ通信部
３０  携帯電話
３０７  伝送線
３０８  基準線
【図１】
0004567006.tif 000002
【図２】
0004567006.tif 000003
【図３】
0004567006.tif 000004
【図４】
0004567006.tif 000005
【図５】
0004567006.tif 000006
【図６】
0004567006.tif 000007
【図７】
0004567006.tif 000008
【図８】
0004567006.tif 000009
【図９】
0004567006.tif 000010
【図１０】
0004567006.tif 000011
【図１１】
0004567006.tif 000012
【図１２】
0004567006.tif 000013
【図１３】
0004567006.tif 000014
【図１４】
0004567006.tif 000015
【図１５】
0004567006.tif 000016
【図１６】
0004567006.tif 000017
【図１７】
0004567006.tif 000018
【図１８】
0004567006.tif 000019